(57)【要約】【課題】操作性を損なうことなく、誤動作を防止する機構をスイッチ本体内に構成したスライドスイッチを提供することを目的とする。【解決手段】押圧及びスライド操作可能なツマミ２と、複数の固定端子８を配設したケース７と、カバー１からなり、ケース７及びカバー１に形成された凹凸部で構設された誘導溝９に沿ってツマミ２に設けられた突起部３ａが摺動することにより、押圧操作後にスライド操作する二段階操作によって誤動作を防止する。【選択図】図５
2009009900.tif 000002
【特許請求の範囲】
【請求項１】
押圧及びスライド操作可能なツマミと、複数の固定端子を配設したケースと、カバーから構成されるスイッチ本体からなり、前記ツマミのスライド方向に直行する側面に突起部を設けるとともに下面に設けた丸孔にコイルバネ及び滑動棒を挿設し、前記ケース及び前記カバーに凹凸部を形成し前記突起部を誘導する誘導溝を構設することにより、前記ツマミの押圧及びスライド操作に連動する可動接片を作動させ固定端子と接触させることで電路の開閉を行う二段階操作による誤動作防止機構を構成したことを特徴とするスライドスイッチ。
【請求項２】
請求項１記載のスライドスイッチにおいて、前記突起部の形状を長方形とし、前記ツマミのスライド操作の安定性を高めたことを特徴とするスライドスイッチ。
【請求項３】
請求項１記載のスライドスイッチにおいて、前記誘導溝をＬ字状とし、片方向のスライド操作のみを抑制することを特徴とするスライドスイッチ。
【発明の詳細な説明】
【技術分野】
【０００１】
本発明は、ツマミを左右に操作して、スイッチ本体内に配備した接触機構部を作動させて電路の開閉を行うスライドスイッチに係り、二段階操作による誤動作防止機構を設けたスライドスイッチに関する。
【背景技術】
【０００２】
従来のスライドスイッチはツマミを左右に操作することによりツマミの下面に配設された可動接片を作動させてケースに設けた固定接片と接触させる構造が一般的であった。また、誤動作対策としてスイッチノブに一体に形成した凸部を弾性体に抗して押圧せしめて、スイッチノブをスライドさせるように構成したスライドスイッチ装置があった。
【特許文献１】特開平７−３２６２４５号
【発明の開示】
【発明が解決しようとする課題】
【０００３】
しかしながら、従来のスライドスイッチは操作が単純であるために、誤ってツマミに触れた場合に誤動作を引き起こしてしまう可能性が高く、その対策としてツマミをパネル面より下げて配設することがあった。しかし、そのように配設した場合、誤動作は防止できるが操作性が悪くなるという欠点があった。また、上記スライドスイッチ装置はスイッチ本体とは別に外付けの装置であるため大型でスイッチ単体では誤動作を防止することができなかった。
【０００４】
そこで本発明のスライドスイッチは上記の問題を解決可能なスライドスイッチを提供することを目的とする。
【課題を解決するための手段】
【０００５】
本発明は上記目的を達成するため、ツマミに突起部を設けるとともにスイッチ本体に誘導溝を設け、押圧操作後にスライド操作する二段階操作による誤動作防止機構をスイッチ本体内に構成したものである。
【発明の効果】
【０００６】
本発明によれば、次のような効果を奏することができる。
（１）スイッチの接触切換操作を押圧操作後にスライド操作する二段階操作としたため、誤って触れても接点が切り換わることがなく誤動作を防止することができる。
（２）誤動作防止機構を備えているので、パネル面よりツマミが突出した状態で使用することができるため操作性を損なうことがない。
（３）スイッチ本体内に誤動作防止機構を構成しているため、小型化が実現できる。
【発明を実施するための最良の形態】
【０００７】
本発明は、押圧及びスライド操作可能なツマミと、複数の固定端子を配設したケースと、該ケースと嵌合するカバーから構成されるスイッチ本体からなり、前記ツマミのスライド方向に直行する側面に突起部を設けるとともに下面に設けた丸孔にコイルバネ及び滑動棒を挿設し、前記ケース及び前記カバーに凹凸部を形成し前記突起部を誘導する誘導溝を構設することにより、前記ツマミの押圧及びスライド操作に連動する可動接片を作動させ固定端子と接触させることで電路の開閉を行う二段階操作による誤動作防止機構を構成する。よって、誤ってツマミに触れた場合には動作せず、ツマミを押圧操作後にスライド操作することにより接触機構の切換が可能となり、誤動作が防止できる。
【実施例】
【０００８】
以下、本発明の実施例について、図面を参照しながら詳細に説明する。
【０００９】
図１は本発明の第一実施例を表すスライドスイッチの上面図、図２は図１のＡ−Ａ’断面図、図３は図１のＢ−Ｂ’断面図、図４は図１のＣ−Ｃ’断面図、図５はそのスライドスイッチの分解斜視図、図６はそのスライドスイッチのカバーの底面斜視図、図７はそのスライドスイッチの操作時の状態を示す要部断面図であり、図７（ａ）はそのスライドスイッチの操作前を、図７（ｂ）はそのスライドスイッチの押圧操作後（スライド操作前）を、図７（ｃ）はそのスライドスイッチのスライド操作途中を、図７（ｄ）はそのスライドスイッチのスライド操作後の復帰状態を示している。
【００１０】
図１から図７において、カバー１には上面中央部にツマミ２が貫通する矩形孔１ａと、一方の側面と該側面に対向する側面にケース７と嵌着後に構設される誘導溝９を構成する凸部１ｂと、他方の側面と該側面に対向する側面にケース７の爪部７ｂと嵌合する嵌合孔１ｃが形成されている。
【００１１】
ツマミ２には上面にカバー１の矩形孔１ａから上方へ突出する角柱部２ａと、スライド方向に直行する側面に突起部３ａを構成する金属棒３を挿設するための貫通孔２ｂと、可動接片４に形成された鍔部４ａを掛着するための切込部２ｃと、角柱部２ａの下方の下面にコイルバネ５及び滑動棒６を収納するための丸孔２ｄと、スライド操作時にケース７のガイド部７ｃに当接する長溝部２ｅが形成されている。
【００１２】
ケース７には下面に複数の固定端子８を配設し、一方の側面と該側面に対向する側面にカバー１と嵌着後に構設される誘導溝９を構成する凹部７ａと、他方の側面と該側面に対向する側面にカバー１の嵌合孔１ｃと嵌合する爪部７ｂが形成されている。ケース７内部にはツマミ２のスライド操作を安定させるためのガイド部７ｃと、底面に操作感を出すための切換部７ｄが形成されている。
【００１３】
以上のことから、カバー１の矩形孔１ａからツマミ２の角柱部２ａを突出させるとともに、ツマミ２に設けた丸孔２ｄにコイルバネ５を介して滑動棒６を挿入し、貫通孔２ｂに金属棒３を挿設することで突起部３ａを構成し、切込部２ｃに可動接片４の鍔部４ａを掛着する。そして、ケース７の切換部７ｄ上に滑動棒６を配置するとともに可動接片４が固定端子８を狭持するように配置し、カバー１の嵌合孔１ｃとケース７の爪部７ｂが嵌着され、本発明のスライドスイッチが完成する。
【００１４】
本実施例では接触機構部を可動接片４が固定端子８を狭持する構成としているが、可動接片４が固定端子８の上部をシーソーする構成としてもよい。また、突起部３ａを金属棒３ではなくツマミ２と一体としてもよく、種々の方法が考えられる。
【００１５】
以上のように構成された、本発明のスライドスイッチは、図７に示すように操作される。すなわち、図７（ａ）に示すスライドスイッチの操作前の状態から、ツマミ２を押圧すると突起部３ａが誘導溝９に沿って下降し連動して可動接片４も下降し、図７（ｂ）に示すように突起部３ａがスライド操作可能位置まで下降する。このとき可動接片４は固定端子８を狭持したまま下降するのみで電路は切り替わらない。そして、図７（ｃ）に示すようにツマミ２をスライド操作することにより可動接片４が一方の固定端子８間に移動し電路の切換えを行う。最後に、スライド操作完了後、押圧力を弱めるとコイルバネ５の反発力により、図７（ｄ）に示すようにツマミ２が押上げられ連動して可動接片４も上昇し初期の高さまで復帰する。
【００１６】
このように、本実施例に示すスライドスイッチは、押圧操作後にスライド操作を行うという二段階操作による誤動作防止機構をスイッチ本体内に構成したという特徴を有している。
【００１７】
さらに、本実施例に示す可動接片４が固定端子８を狭持する構成の接触機構では、押圧操作時及びスライド操作時における二重のセルフクリーニングにより、高い接触信頼性を保持することができる。
【００１８】
図８は本発明の第二実施例を示す突起部３ａの形状を長方形としたスライドスイッチの要部断面図である。突起部３ａの形状を長方形としたことにより、誘導溝９の下面との当接面積が広くなり、ツマミ２のスライド操作時の操作安定性を高めることができる。
【００１９】
さらに、上記突起形状により操作安定性が確保できるため、ケース７に設けたガイド部７ｃが不要となり、さらなる小型化が実現できる。
【００２０】
本実施例では突起部３ａの形状を長方形としているが、台形や半楕円形としてもよく、種々の方法が考えられる。
【００２１】
図９は本発明の第三実施例を示す誘導溝９をＬ字状としたスライドスイッチの要部断面図である。誘導溝９をＬ字状とすることにより、片方向のスライド操作のみを抑制する。よって誤動作防止を必要としない操作方向に対しての煩わしさを解消することができる。
【００２２】
本実施例では誘導溝９をカバー１とケース７により構設しているが、ケース７のみで形成してもよく、種々の方法が考えられる。
【００２３】
なお、本発明は上記の実施例に限定されるものではなく、本発明の趣旨に基づき種々の変形が可能であり、これらを本発明の範囲から排除するものではない。
【産業上の利用可能性】
【００２４】
本発明のスライドスイッチは、押圧操作後にスライド操作する二段階操作による誤動作防止機能を有するスライドスイッチとして利用可能である。
【図面の簡単な説明】
【００２５】
【図１】本発明の第一実施例を表すスライドスイッチの上面図である。
【図２】図１のＡ−Ａ’断面図である。
【図３】図１のＢ−Ｂ’断面図である。
【図４】図１のＣ−Ｃ’断面図である。
【図５】本発明の第一実施例を表すスライドスイッチの分解斜視図である。
【図６】本発明の第一実施例を表すスライドスイッチのカバー底面斜視図である。
【図７】本発明の第一実施例を表すスライドスイッチの操作時の状態を示す要部断面図である。
【図８】本発明の第二実施例を表すスライドスイッチの要部断面図である。
【図９】本発明の第三実施例を表すスライドスイッチの要部断面図である。
【符号の説明】
【００２６】
１    カバー
１ａ  矩形孔
１ｂ  凸部
１ｃ  嵌合孔
２    ツマミ
２ａ  角柱部
２ｂ  貫通孔
２ｃ  切込部
２ｄ  丸孔
２ｅ  長溝部
３    金属棒
３ａ  突起部
４    可動接片
４ａ  鍔部
５    コイルバネ
６    滑動棒
７    ケース
７ａ  凹部
７ｂ  爪部
７ｃ  ガイド部
７ｄ  切換部
８    固定端子
９    誘導溝
【図１】
2009009900.tif 000003
【図２】
2009009900.tif 000004
【図３】
2009009900.tif 000005
【図４】
2009009900.tif 000006
【図５】
2009009900.tif 000007
【図６】
2009009900.tif 000008
【図７】
2009009900.tif 000009
【図８】
2009009900.tif 000010
【図９】
2009009900.tif 000011